(57)【要約】  【課題】  パチンコの盤面に、打ち込まれた釘の角度を正確に測定し、又誰にでも簡単に釘調整が出来ることを目的とする。【解決手段】  長方形の基板２と、その片端部に支持脚３と、他端に支持脚３’が一体化した前後に移動動可能なスライド体６とから構成され、両支持脚の上方側面に角度測定冶具４が一体に又は交換可能に設けられた遊技機釘角度測定ゲージ。【選択図】図１
2006130300.tif 000002
【特許請求の範囲】
【請求項１】
長方形な板体である基板Ａと、その片側端部に該基板と同一平面上に突設した支持脚Ｂと、基板Ａの他端に支持脚Ｂと平行状に突出させた支持脚Ｃが一体化したスライド体Ｄとから構成され、しかも該スライド体Ｄが往復移動可能に基板Ａに嵌め合わされ、且つ支持脚Ｂ、Ｃのいずれか片面又は両面の上方側面に角度測定面を有する角度測定冶具Ｅが一体に設けられ、しかも支持脚Ｂ、Ｃとは協同して同一水平を保ち、且つ支持脚Ｂ、Ｃの高さがパチンコ釘の高さより高いことを特徴とする、遊技機釘角度測定ゲージ。
【請求項２】
角度測定冶具Ｅは、支持脚Ｂ、Ｃに交換可能に取付けたことを特徴とする請求項１記載の遊技機釘角度測定ゲージ。
【請求項３】
該支持脚Ｂ、Ｃは、基板Ａの端部の片側又は両側のいずれかに突設されることを特徴とする請求項１又は２記載の遊技機釘角度測定ゲージ。
【請求項４】
基板Ａに直角状に突出された支持脚Ｂ、Ｃが直角測定面を構成することを特徴とする請求項１〜３のいずれかに記載の遊技機釘角度測定ゲージ。
【請求項５】
支持脚Ｂ、Ｃが基板Ａに対して上向きに又は下向きに突出して設けられ、それに取り付けられた角度測定冶具Ｅと相まって夫々下げ釘用又は上り釘用角度測定部材Ｆとして用いられることを特徴とする請求項１〜４のいずれかに記載の遊技機釘角度測定ゲージ。
【請求項６】
角度測定冶具Ｅ付き支持脚Ｂをスライド体Ｄに着脱自在に構成させることを特徴とする請求項１〜５のいずれかに記載の遊技機釘角度測定ゲージ。
【請求項７】
支持脚Ｂが傾斜状であってそれ自体で角度測定部材Ｆを構成し、且つ該支持脚Ｂに釘頭を係止するための段差が設けられ、しかも角度測定冶具Ｅを設けないことを特徴とする請求項１又は２記載の遊技機釘角度測定ゲージ。
【請求項８】
該該角度測定部材Ｆは基板Ａの上端部に嵌挿可能としたことを特徴とする請求項７記載の遊技機釘角度測定ゲージ。
【請求項９】
スライド体Ｄは、基板Ａにネジ等で仮固定可能としたことを特徴とする請求項１〜８のいずれかに記載する遊技機釘角度測定ゲージ。
【請求項１０】
スライド体Ｄは、挟持板と連結部を（止め）ネジで止めた組立構造であることを特徴とする請求項１〜９のいずれかに記載の遊技機釘角度測定ゲージ。
【請求項１１】
スライド体Ｄに滑り止め孔を設けたことを特徴とする請求項１〜１０のいずれかに記載の遊技機釘角度測定ゲージ。
【発明の詳細な説明】
【技術分野】
【０００１】
本発明は、パチンコ機のような各種の遊技機の盤面上に打ち込まれた多数本の釘角度を測定し、適度の角度に調整するための遊技機釘角度測定ゲージに関する。
特に、本発明は釘の上下角度を簡単に測定可能な遊技機釘角度測定ゲージに関する。
【背景技術】
【０００２】
例えば、大衆の遊戯娯楽機として長年パチンコが親しまれ、楽しまれており、駅の周辺や商店街等の繁華街において多数のパチンコ店が営業している。パチンコは、遊戯玉を打ち、入賞すると決められた遊戯玉が遊戯者（客）に還元され、遊戯玉の数によって商品が提供され、遊戯者に利益がもたらされるものである
【０００３】
パチンコ機の盤面には多数本の釘が打ち込まれており、遊戯玉を一定の方向に案内をしたり、入賞口に遊戯玉を誘導するようになっている。通常、釘はパチンコメーカーで所定の位置に打たれた状態で出荷されるが、この時点では釘の向きは一定ではなくバラバラの状態である。
【０００４】
このため、各パチンコ店では、パチンコ機の購入後に店の方針に基づいて全ての釘の角度調整を行っている。更に、店の閉店後あるいは開店前に必要な箇所の釘の角度調整を行い、特に、入賞口に面する釘や入賞口に案内する釘の角度を調整することで各パチンコ機のその日の出球率を制御し、店の利益や客への還元率を規制している。
このような釘の調整は、非常に難しく熟練を要するために通常は釘師と呼ばれる専門家によってなされている。しかし、近年、釘師の数が少なく、パチンコ店ではその確保に苦慮しているが、熟練を要することなく釘角度を測定し、調整するための角度測定具が提供されている。
【０００５】
例えば、先行技術について見ると、以下の技術が見られる。
特許文献１「パチンコ台釘角度測定器」には、  直線辺４（本発明の当接面に相当）とそれと対称位置にある対偶辺６との間隔が大きく、測定すべき釘以外の釘や役物等が邪魔になって効率よく測定ができない分度盤式のパチンコ台釘角角度測定器が示されている。その場合に、釘も分度盤内に設けたスリット１３（凹部１２）内に挿入させなければならず、複雑な構造になっている（特に、図１参照）。
特許文献２「パチンコ機の釘角度測定装置」には、パチンコ台の盤面に接する台座７上に、円状目盛１４付き環状部材５が設けられ、該環状部材の中心に目盛１６付き十字状スリットを形成し、これに盤面の釘を差し込み、釘の角度を測定するジャイロスコープ式分度盤が示されている。その場合に台座７の巾間隔が大きく長さも長いので、パチンコ台の比較的狭い釘間隔では釘角度測定には不十分であると共に、その構造も複雑である（特に、図１、２参照）。
また、特許文献３「パチンコ機の釘角度測定冶具」には、２枚の目盛８付き扇状固定部材１とその下端部に回動自在に軸支２する細長状可動部材３とからなり、その当接面７が盤面に接した状態で可動部材３のレバー１０を操作して釘１２の角度を目盛８で間接的に測定する分度盤式のパチンコ釘角度測定ゲージが示されている。
その場合に、脚部６や当接面７の巾間隔が大きいと共に、その長さも長く、釘角度測定には不十分であると共に、その構造も複雑である（特に、図２参照）。等がある。
【０００６】
以下、自社技術でもある特許文献４〜７について触れる。
即ち、特許文献４のゲージは、基板の両端に支持脚を一体に設け、その支持脚に釘を沿わせて釘角度を測定・調整するものであって、パチンコ盤面上の釘を種々の角度に調整す
るためには、それに見合った角度のゲージが多数必要となるが、本発明のゲージによると、種々の角度の角度測定冶具を用意するだけで済むので、操作が容易であって実用性が高い。
即ち、本発明は、支持脚の上方側部に角度測定冶具を一体に又は着脱自在に取り付けた点、及びパチンコ盤面上の大小様々な役物、チューリップなどの障害物を簡単に避けるために、支持脚をスライド体と一体として前後に移動可能にした点に特徴を有する。
【０００７】
特許文献５には、基板端部に度数目盛付き分度盤とそのピン支点に指示アーム付き支持脚を回動自在に設け、他端に支持脚を設けたゲージが示されているが、分度盤も回動自在な指示アーム付き支持脚も必要がない本発明のゲージとは全くタイプが異なる。
特許文献６には、特許文献５に記載のゲージが示されている外に、図２（イ）に上記特許文献４に記載されるタイプにおいて、その支持脚に釘を沿わせて釘角度を測定・調整する代わりに支持脚の上方側面に角度測定冶具を取付けるタイプが記載されているが、本発明のように、パチンコ盤面上の大小様々な役物、チューリップなどの障害物を簡単に避けるために、支持脚をスライド体と一体として前後に移動可能にしたことは示されていない。そして、特許文献６の図４〜６には、支持脚に釘を沿わせて釘角度を測定・調整する方式であって、支持脚をスライド体と一体として前後に移動可能にしたものが示されているが、本発明のように、支持脚の上方側面に角度測定冶具を一体化又は取付けるタイプまでは示されていない。
特許文献７には、基板の両端又はその途中等の多方向に向けて支持脚を設けた構造のゲージが示されているが、本発明のように、支持脚をスライド体と一体として前後に移動可能にしたものは示されていない。
【０００８】
【特許文献１】特開平１０−３００４０４号公報
【特許文献２】特開平９−１８２８３２号公報
【特許文献３】特開平９−９４３２６号公報
【特許文献４】登録実用新案公報第３０４２６６３号
【特許文献５】特開２００１−２６９４５０号公報
【特許文献６】特開２００２−２２４３２０号公報
【特許文献７】特開２００２−２７２９３０号公報
【発明の開示】
【発明が解決しようとする課題】
【０００９】
以上の各特許文献１〜３では、１°を単位として釘の角度測定が可能であり、３０°まで釘を傾斜させることができる。
しかし、限定された広さのパチンコ機盤面に多数の釘が打たれているので、釘の間隔は狭く、また、釘の集合体や役物が配置してあり、特許文献１における「直線辺４やこれと対抗する位置にある対偶辺６」の長さ間隔が大きく、測定すべき釘以外の釘や役物等が邪魔になって効率よく測定ができないものである。
【００１０】
同様にして、特許文献２では「台座７」の長さが長く、特許文献３では「脚部６や当接面７」の巾間隔が広く、特定の釘角度測定には不向きなものであり、所定の角度を確保できないものであった。しかも、総じて構造が複雑であり、取り扱いが不便なものであった。
【００１１】
また、自社技術であるため、特許文献４〜７では、本発明のゲージの特徴の一部を示しているが、それら各要素技術を組合わせることにより、本発明の構成を示唆することは難しい。
即ち、本発明は、上記する従来の公知技術の問題点に鑑み、熟練を要することなく短時間で簡単に釘の上下角度を測定し、角度調整を可能とした遊技機釘角度の測定ゲージを提
供することを目的とする。
特に、釘の集合体や役物を避けて釘角度の測定が可能な遊技機釘角度の測定ゲージを提供することを目的とする。
【課題を解決するための手段】
【００１２】
上記の目的を達成するために本発明者は種々検討した結果、遊技機釘角度測定ゲージとして、（１）長方形な板体である基板２と、その片側端部に該基板と同一平面上に突設した支持脚３と、基板２の他端に支持脚３と平行状に突出させた支持脚３’が一体化したスライド体６とから構成され、スライド体６が往復移動可能に基板２に嵌め合わされ、且つ支持脚３、３’のいずれか片面又は両面の上方側面に角度測定５を有する角度測定冶具４が一体に設けられ、しかも支持脚３、３’とは協同して同一水平を保ち、且つ支持脚３、３’の高さがパチンコ釘７の高さより高い、遊技機釘角度測定ゲージである。
（２）角度測定冶具４は、支持脚３、３’に交換可能に取付けた点にも特徴を有する。
（３）支持脚３、３’は、基板２の端部の片側又は両側のいずれかに突設される点にも特徴を有する。
【００１３】
（４）基板２に直角状に突出された支持脚３、３’が直角測定面１０を構成する点にも特徴を有する。
（５）支持脚３、３’が基板２に対して上向きに又は下向きに突出して設けられ、それに取り付けられた角度測定冶具４と相まって夫々下げ釘用又は上り釘用角度測定部材として用いられる点にも特徴を有する。
（６）角度測定冶具４付き支持脚３をスライド体６に着脱可能とした点にも特徴を有する。
（７）支持脚３が傾斜状であってそれ自体で角度測定部材４’を構成し、且つ該支持脚３に釘頭を係止するための段差１５が設けられ、しかも角度測定冶具４を設けない点にも特徴を有する。
（８）該該角度測定部材４’は基板２の上端部に嵌挿可能とした点にも特徴を有する。
（９）スライド体６は、基板２にネジ等１９で仮固定可能とした点にも特徴を有する。
（１０）スライド体６は、挟支持板１８と連結部２０を（止め）ネジ１９で止めた組立構造である点にも特徴を有する。
（１１）スライド体６に滑り止め孔１７を設けた点にも特徴を有する。
【発明の効果】
【００１４】
（１）本発明パチンコ釘角度測定ゲージによれば、ゲージ本体１は、長形な基板２の一端に支持脚３、３’を直角状に突設して支持脚３、３’が直角測定面１０を構成するので、釘７の直角度の測定を簡単に行え、多様な角度面に対応することができる（図４）。
（２）支持脚３を有するスライド体６を基板２に嵌合させて前後にスライド可能としたので、支持脚３、３’の相対位置関係を簡単に変えることができるので、邪魔になる釘７や役物１１等を避けて支持脚３、３’を盤面８上に設置でき、効率よく釘の角度測定・調整をすることができる。
（３）本発明パチンコ釘角度測定ゲージによれば、ゲージ本体１は、この支持脚３、３’に釘７の傾斜角度を測定可能な角度測定面５を有する角度測定冶具４を設け、更に、支持脚３又は３’を有するスライド体６を往復移動可能に基板２に嵌合されているので、釘角度測定に際しては両支持脚３、３’の先端をパチンコ機の盤面８に押し当てることで安定した角度測定が可能である。
（４）傾斜測定冶具４の角度測定面５をパチンコ機盤面８に打ち込んだ釘７の側面に当接することで釘７の上下垂直方向あるいは左右水平方向の傾斜角度を容易に測定することができる。
【００１５】
（５）基板２に対して支持脚３を傾斜状態で連結し、支持脚３の上面に０．５°から１
°単位で傾斜度を異にする角度測定面５を形成することで、盤面８に対する下向きの釘角度測定が可能である。。
（６）測定部材４’は、基板２に着脱自在に取付け可能であるから、種々の傾斜の測定部材４’を用意すれば、測定部材４’のみの交換により、種々の釘角度測定に使用可能である。
（７）上向き支持脚及び／又は下向き支持脚を単独に又は組合わせて用いることにより、種々の釘角度の測定に対応できる。
（８）角度測定冶具付き支持脚をスライド体に着脱自在に構成させ得るので、種々の釘角度の測定・調整に即座に対応できる。
（９）スライド体を任意の位置で仮固定できるようにしたので、、釘角度の測定・調整を確実にできる。
【００１６】
（１０）スライド体を複数個の連結板の止めネジによる組立式としたので、スライド体の構成を任意に変えることができる。
（１１）パチンコ盤面８に当接される支持脚３、３’は、構造的にゲージ本体１を支える脚部的な意味合いが強いので先端で細くなっており、必要とする面積を極端に縮小できる効果がある。また、パチンコ盤面８のように、たくさんの釘、又連続した釘の並び、役物等の複雑な狭い場所へも十分に対応可能な構造となっている。
（１２）支持脚３、３’間の高さがパチンコ釘７の高さより高いので、パチンコ盤面８上の釘７や役物１１に邪魔されず、簡単に釘の角度測定が可能である。
（１３）本発明のパチンコ釘角度測定ゲージによると、簡単な構造でありながら、釘の深い角度まで測定可能で、構造的に見ても精度の高い測定結果を未経験者にも、簡単に提供できる。
（１４）本発明のパチンコ釘角度測定ゲージによると、スライド体付き支持脚がスライド可能であるので、釘７の間隔に応じてスライドさせて支持脚３、３’の間隔を仮固定すると釘７を希望する角度に調整できる。
【００１７】
（１５）本発明のパチンコ釘角度測定ゲージによると、測定値を一地点として計測するのではなく、支持脚３、３’間を間隔を開けて二点間で計測するので、例えばパチンコ盤面８に歪みがあった場合などでも、より平均的な誤差の少ない計測が可能である。
（１６）本発明のパチンコ釘角度測定ゲージによると、パチンコ盤面８及び釘７に当接するだけで簡単に釘角度が測定できる。
（１７）単体で片手で持ちやすく、測定操作がし易いので、角度測定を効率よく行うことが可能である。更に、熟練を要することなく釘角度の調整を行うことができ、入賞率や出玉率を制御することができる。
【発明を実施するための最良の形態】
【００１８】
以下、図面に従って本発明の実施の形態を詳細に説明する。
図１は、本発明の遊技機釘角度測定ゲージの代表例を示すものである。
図２は、図１に示した支持脚３の下方に設けた斜めの存在理由を説明する図であり、支持脚３の下方に設けた斜めの存在によって役物１１等の邪魔物を回避し狭い所の釘７の計測を可能とする。
図１において、金属製あるいは合成樹脂製のゲージ本体１は、長方形な板体である基板２と、その片側端部に該基板と同一平面上に突設した支持脚３と、基板２の他端に支持脚３と平行状に突出させた支持脚３’が一体化したスライド体６とから構成され、スライド体６が往復移動可能に基板２に嵌め合わされ、且つ支持脚３、３’のいずれか片面又は両面の上方側面に角度測定５を有する角度測定冶具４が一体に設けられ、しかも支持脚３、３’とは協同して同一水平を保ち、且つ支持脚３、３’の高さがパチンコ釘７の高さより高い構成となっている。
【００１９】
図３、５、６は、本発明のゲージ体１において、角度測定冶具４の角度を夫々４°、５°、６°と変えた場合での調整された釘角度が夫々９４°、９５°、９６°であることを示す状態図である。
図４は、基板２に対して直角状に突出させた支持脚３が直角測定面１０を構成して、釘７の直角状態を測定する状態を示す図である。
図７は、図４に対応して、直角測定面１０に合わせて釘７の頭を叩いて直角とする状態を示す図である。
図８は、図４に対応して直角測定面１０と釘７の平行度合で合わせる状態を示す図である。
図９〜１１は、交換可能に付ける角度測定冶具４が支持脚の内、支持脚３、３’の夫々上、下片面に（図９）、支持脚３の上下面に（図１０）、角度測定冶具４が支持脚３の上下面に交換可能に、支持脚３’上下面に一体に（図１１）取り付けた状態を示す図である。
【００２０】
図１２、１３は、支持脚が基板２に直角に設けていない例であり、支持脚３、３’が基板２に対して上向きに又は下向きに突出して設けられ、それに取り付けられた角度測定冶具４と共に夫々下げ釘用又は上り釘用ゲージとして用いられる状態を示す図である。
詳しくは、図１２は基板２に対して、交換可能な角度測定冶具４ａ、４ａ’付き上向き支持脚３ａ、３ａ’と、交換可能な角度測定冶具４ｂ、４ｂ’付き下向き支持脚４ｂ、４ｂ’が突出して設けられた状態図である。上方及び下方の角度測定冶具を種々の状況に適応して使用すれば良い。
図１３は、交換可能な角度測定冶具４ａ、４ａ’付き下向き支持脚３ａ、３ａ’と、交換可能な角度測定冶具４ｂ、４ｂ’付き上向き支持脚４ｂ、４ｂ’が突出して設けられた状態図である。上方及び下方の角度測定冶具を種々の状況に適応して使用すれば良い。
【００２１】
図１４は、図１２の応用であり、交換可能な角度測定冶具４ａ、４ａ’付き下向き支持脚３ａ、３ａ’と、一体な角度測定冶具４ｂ、４ｂ’付き上向き支持脚４ｂ、４ｂ’が突出して設けられた状態図であり、図１２の場合と同様に使用すれば良い。
図１５は、図１３の応用であり、交換可能な角度測定冶具４ａ、４ａ’付き下向き支持脚３ａ、３ａ’と、一体な角度測定冶具４ｂ、４ｂ’付き上向き支持脚４ｂ、４ｂ’が突出して設けられた状態図であり、図１３の場合と同様に使用すれば良い。。
【００２２】
図１６は、（イ）図１２の交換可能な角度測定冶具４付き上向き支持脚３、３’の部分図であり、角度測定冶具の大きさを変えて角度調節が可能である。（ロ）図１２の交換可能な角度測定冶具４付き下向き支持脚３、３’の部分図であり、上下逆向きにすると上り釘用になる。
図１７は、（イ）図１３の交換可能な角度測定冶具４付き下向き支持脚３、３’の部分図であり、角度測定冶具の大きさを変えて角度調節が可能である。（ロ）図１３の交換可能な角度測定冶具４付き上向き支持脚３、３’の部分図であり、上下逆向きにすると上り釘用になる。
【００２３】
図１８は、（イ）上げ釘用ゲージを示す部分図であり、（ロ）下げ釘用ゲージを示す部分図であり、（ハ）このようなゲージの使用により、１４０°〜４０°、５０°〜−５０°と広い範囲の釘角度に対応できることを示す図である。
図１９は、角度測定冶具を一定（例えば５°）にして支持脚にて角度を変化させる使用法を説明する図であり、（イ）、（ロ）は上向き支持脚の部分図、（ハ）、（ニ）は下向き支持脚の部分図、（ホ）、（ヘ）は角度測定冶具付き上向き支持脚の部分図、（ト）、（チ）は角度測定冶具付き下向き支持脚の部分図である。
図２０は、支持脚角度を一定（例えば５０°）にして角度測定冶具の角度変化をさせる使用法を説明する図である。
パチンコ盤８に当接した種々の角度（５°、〔１０°、〕２０°、〔４０°、〕６０°、８０°）の角度測定冶具４を示し、その角度測定冶具に対応した支持脚３、３’（５５°、７０°、１１０°、１３０°）の角度変化を示す。      
【００２４】
図２１は、基板２に支持脚３を傾斜状態で連結して測定部材４’とし、その傾斜角度で下向きの釘角度の測定が可能であることを示す状態図である。
図２２は、測定部材４’を基板２に着脱自在に取り付けた状態を示す図である。傾斜度の違う測定部材４’を用意するだけで、種々の釘角度測定に使用できる。
【００２５】
図２３は、スライド体６が（ネジ１９により一体にした）挟持板１８と連結部２０との組立体から構成されることを示す図である。
図２３において、（イ）スライド体６中央に滑り止め孔１７を設けて親指等で一定位置に停止させ易くする。（ロ）角度測定冶具４’’をスライド体６に着脱自在としていて、引き抜いて他端に移動できる。（ハ）基板２の両端に支持脚３、３’を突出して設け、その上方側面に角度測定冶具４、４’を、基板２に嵌合するスライド体６に着脱自在に支持脚３’’を設け、その支持脚３’’の下面に角度測定冶具４’’を一体に設ける。
図２４は、図２３と同様に、３つの支持脚３、３’、３’’及びそれに対応して６つの角度測定冶具４ａ，４ａ’，４ｂ，４ｂ’、４ｃ，４ｃ’を設けた例である。
図２５は、（イ）支持脚４ｂを一旦抜いて、反対側に入れた状態を示し、（ロ）３つの支持脚３、３’、３’’及び３つの角度測定冶具４ａ，４ａ’，４ｂを設けた例である。
【００２６】
図２６は、（スライド体６中に嵌挿する）基板２と角度測定冶具４、４’を夫々一体に設けた２つの支持脚３、３’とからなるゲージを示す。
なお、この測定部材は支持脚付きスライド体抜きでもパチンコ釘角度測定ゲージとしても利用できる。
図２７は、（スライド体６中に嵌挿する）基板２と角度測定冶具４ａ、４ｂ、４ａ’、４ｂ’を夫々上下に一体に設けた２つの支持脚３、３’とからなるゲージを示す。
なお、この測定部材は支持脚付きスライド体抜きでもパチンコ釘角度測定ゲージとしても利用できる。
【００２７】
図２８は、（支持脚３、３’を着脱自在とした）組立式スライド体を構成する部品の構成を示し、即ち、ネジ１９、止めネジ１９’ねじ穴２１、２１’付き基板２、２’に一体に設けた２つの支持脚３、３’、その支持脚の上方側面に一体に設けた角度測定冶具４、４’であり、スライド体６を構成するねじ１９、１９’、滑り止め孔１７、１７’を持つ挟持板１８、１８’を示す。
図２９は、図２８と同様に、（支持脚３を着脱自在とした）組立式スライド体を構成する部品の構成を示し、即ち、はネジ１９、止めネジ１９’、基板２、２’、１つの支持脚３、その支持脚３の上下側面に一体に設けた角度測定冶具４、４’、ねじ１９、１９’、滑り止め孔１７、１７’を持つ挟持板１８、１８’を示す。
【００２８】
図３０は、このように、支持脚の直角測定面、上向き、下向きゲージや、傾斜させた支持脚で構成される測定部材４’を用いること、支持脚及び角度測定冶具の数の増減により、スライド体に支持脚を着脱自在とすることにより、（イ）０°〜１８０°までと言う全角度にわたって釘角度の測定・調整が可能であることを示す図であり、右側の図は上げ釘用（＋）、下げ釘用（＝）を説明する図である。
【００２９】
更に、図面に基づいて詳細に説明する。
角度測定冶具４は、パチンコ盤面８に打ち込んである釘７の下面或いは左右側面に角度測定面５を押し当ててパチンコ盤面８に対する釘角度を測定する。例えば９１°〜３００°の範囲で設定可能である。
角度測定冶具４は、支持脚３、３’に一体に固定してもよく、或いはゲージ本体１を金属製とした場合には角度測定冶具４を磁性体製として交換可能としてもよい。
角度測定冶具４を交換可能とした場合には、前記の場合と同じく傾斜角が９０．５°〜３００°あるいは９０°〜３００度の傾斜範囲で０．５°〜１°単位で角度測定面８を異にするものをそれぞれ用意しておけばよい。
【００３０】
次に、パチンコ機盤面８に打ち込んである釘７の角度測定について説明する。釘角度測定に際しては、図３〜８により具体的に説明される。
支持脚３と一体のスライド体６は基板２に着脱できるので、角度測定面５が０．５°単位や１°単位で異なる傾斜角度の角度測定部材４’を多数用意し該測定部材のみを交換すれば、支持脚３は同じものを使用できる。
図９〜２０に説明されるように、角度測定冶具４を支持脚３に交換可能及び／又は一体とした場合には、支持脚が上向き及び／下向きの場合と組合わされ、かつ種々の角度の角度測定冶具４を用意し、支持脚３、３’と部分的に一体とした角度測定冶具４の場合と組合わせて釘角度の測定すれば全釘角度の測定が可能となる。
【００３１】
上記の説明は少なくとも９０．５°以上の上向きの角度測定を行う場合である。
しかし、釘７によっては盤面８に対して直角状態を保持する必要がある。
図４は、釘７の盤面８に対する直角（９０°）の角度測定を行う場合であり、釘７の上面と支持脚３の直角測定面１０とを平行にすることで釘７が盤面１１に対して直角であるかどうか測定可能であって（図７）、直ちにハンマー２１により釘７を直角に調整できる（図７、８）。
もし、釘７が少しでも上下に傾斜している場合には角度調整を行い、９０°を保持するようにすればよい。
【００３２】
上記の説明では、支持脚３が接地する盤面８に釘７の集合体や役物１１がない場合である。
しかし、支持脚３の当接面９に対する接地位置に複数本の釘７集合体や役物１１等があってゲージ本体１を所定の位置にセットできず特定位置の釘角度の測定ができない場合がある。
図１で分かるように、スライド体６は基板２に沿って往復移動可能となっているので、図５に示すように、支持脚３が、例えば、役物１１に突き当たらない離れた位置までスライド体６を基板２にそって移動させればよく、特定の釘７の角度測定を支障なく行うことができる。
【００３３】
図１２〜１５に示すように、スライド体６の側面に（止め）ネジ１９を捻じ込み可能とし、止めネジ１９の先端を基板２の側面に圧接させるようにしておけば、スライド体６を基板２にそって移動させた時、ネジ１９によってスライド体６の停止位置を仮固定して保持することができる。
図３は、釘７の上向き方向の角度測定を行う場合であり、図６に示すように、パチンコ盤面８に対してゲージ本体１を水平状態でセットすることで釘７の左右方向の角度測定が可能である。
スライド体６を基板２にそって移動させる場合でも、図７、８に示すように、直角測定面１０で釘７の直角度の測定は可能である。
【００３４】
上記に説明したゲージ本体１は、基本的にはパチンコ盤面８に対する釘７の上向き方向の角度を測定する場合である。従って、パチンコ盤面８に対して下向き方向の釘７角度を測定することはできない。
図１２〜２０に示すように、上り釘用又は下り釘用のゲージを用いることにより可能となる。
即ち、例えば、図１２によると、ゲージ本体１は、パチンコ盤面８に対する釘７の下向きの傾斜角度を測定できる。即ち、基板２の一端に支持脚３を連結し、支持脚３’を有するスライド体６を基板２に往復移動可能に嵌合させる。      
【００３５】
図２１に示すように、支持脚３を基板２に上向き傾斜状に、即ち、支持脚３に対し拡開する上向き方向に連結し、支持脚３の上面に少なくとも釘７の長さ範囲内で段差１５を形成し、段差１５と支持脚３の先端間を角度測定面５とする。
尚、この場合、スライド体に一体に設けた支持脚３’は基板２に対して直角状となっている。
図２１において、角度測定面５は、パチンコ盤面８の垂直面に対し８９．５°から０．５°単位、あるいは８９°から１°単位で傾斜角度を異にする測定部材４’を必要な傾斜角度の範囲で複数用意しておく。
角度測定面５を、パチンコ盤面８に打ち込んで下向きに傾斜する釘７の下面に当てればよく、両者が平行であれば釘７は角度測定面５の傾斜度を有することになる。
このようにして角度測定面５の傾斜度によって釘７の下向きの傾斜角度を測定することができる。
【００３６】
釘７の下面に傾斜測定面５を押し当てて平行になった時、釘７の傾斜角度は、傾斜測定面５の傾斜角度を有することになる。この場合の傾斜角度が、例えば、８８°であり、この釘１２の傾斜角度を８７°としたい場合には、釘７角度を調整し、８７°の傾斜面とした傾斜測定面５を有する測定部材４’を使用して最終的な傾斜度を調整すればよい。
尚、支持脚３の上面に段差１５を設けて角度測定面５を形成することなく、支持脚３の上面全面を平らな角度測定面５とし、角度測定面５を釘７の下面に当て、両者が平行となった時の傾斜角度を測定するようにしてもよい。
また、図２１に示すように、支持脚３の先端は、傾斜度に応じてパチンコ盤面８に密に接するよう支持脚３の長さ方向に対して斜めにしてもよい。
【００３７】
図２１に示す測定部材４’は、基板２と支持脚３とが一体にされ固定状態である。
しかし、基板２と支持脚３’とを着脱できるようにして支持脚３’のみを交換可能としてもよい。
例えば、図２３〜２５に示すように、予め支持脚３’’に嵌挿部を形成し（図示しない）、この嵌挿部には下向きの開口部を設け、開口部は基板２の上端を密に嵌め込み可能な大きさとしておく。
このような構成とすることで、嵌挿部内に基板２の上端を密に嵌め込めば、図２３〜２５に示すように、支持脚３’’はパチンコ盤面８の垂直面に対する角度測定面５の傾斜角度を０．５°単位あるいは１°単位で異にするものを８９．５°〜３００°の範囲で複数種用意しておき、支持脚３’’のみを交換可能とすることで能率よく釘７の傾斜角度の測定や調整ができる。
尚、この場合でも支持脚３’’の先端部に段差１５を設けて角度測定面５を形成してもよい。
【００３８】
図２３〜２５に示すように、釘７の集合体や役物１１を避けてスライド体６を基板２にそって移動させ、ネジ１９で仮固定してもよい。
また、基板２と支持脚３’’とを着脱自在とした場合もネジ１９を使用して仮固定し、連結状態を安定させてもよい。
【産業上の利用可能性】
【００３９】
本発明によれば熟練を要することなくパチンコ機に打ち込んだ釘の上下および左右の角度測定および調整が可能であり、パチンコ業界において店の収益とともに客の満足感を共に達成することができ、更に、パチンコの遊戯性を高めることができるものである。
【図面の簡単な説明】
【００４０】
【図１】本発明のパチンコ釘角度測定ゲージの代表例を示す斜視図である。
【図２】図１に示した支持脚３の下方に設けた斜めの存在理由を説明する図である。
【図３】本発明のゲージ体１により、角度測定冶具４の角度を夫々４°と変えた場合の調整された釘角度が９４°であることを示す状態図である。
【図４】基板２に対して直角状に突出させた支持脚３が直角測定面１０を構成して、釘７の直角状態を測定する状態を示す図である。
【図５】本発明のゲージ体１により、角度測定冶具４の角度を５°と変えた場合の調整された釘角度が９５°であることを示す状態図である。
【図６】本発明のゲージ体１により、角度測定冶具４の角度を６°と変えた場合の調整された釘角度が９６°であることを示す状態図である。
【図７】図４に対応して、直角測定面１０に合わせて釘７の頭を叩いて直角とする状態を示す図である。
【図８】図４に対応して直角測定面１０と釘７の平行度合で合わせる状態を示す図である。
【図９】交換可能に付ける角度測定冶具４が支持脚の内、支持脚３、３’の夫々上、下片面に（図９）取り付けた状態を示す図である。
【図１０】交換可能に付ける角度測定冶具４が支持脚の内、支持脚３の上下面に取り付けた状態を示す図である。
【図１１】交換可能に付ける角度測定冶具４が支持脚の内、支持脚３’上下面に一体に取り付けた状態を示す図である。
【図１２】支持脚が基板２に直角に設けていない例であって、支持脚３、３’が基板２に対して上向きに、（下向きに）突出して又は下向きに着脱自在に設けられ、角度測定冶具４と共に下げ釘用釘用ゲージとして用いられる状態図である。
【図１３】支持脚が基板２に直角に設けていない例であり、支持脚３、３’が基板２に対して下向きに、（上向きに）突出して設けられ、それに取り付けられた角度測定冶具４と共に上り釘用ゲージとして用いられる状態図である。
【図１４】図１２の応用であり、交換可能な角度測定冶具４ａ、４ａ’付き上向き支持脚３ａ、３ａ’と、一体な角度測定冶具４ｂ、４ｂ’付き下向き支持脚４ｂ、４ｂ’が突出して設けられた状態図である。
【図１５】図１３の応用であり、交換可能な角度測定冶具４ａ、４ａ’付き下向き支持脚３ａ、３ａ’と、一体な角度測定冶具４ｂ、４ｂ’付き上向き支持脚４ｂ、４ｂ’が突出して設けられた状態図である。
【図１６】（イ）図１２の交換可能な角度測定冶具４付き上向き支持脚３、３’に釘７を沿わせた部分図であり、（ロ）図１２の交換可能な角度測定冶具４付き下向き支持脚３、３’に釘７を沿わせた部分図である。
【図１７】（イ）図１３の交換可能な角度測定冶具４付き下向き支持脚３、３’に釘７を沿わせた部分図であり、（ロ）図１３の交換可能な角度測定冶具４付き上向き支持脚３、３’に釘７を沿わせた部分図である。
【図１８】（イ）上げ釘用ゲージを示す部分図であり、（ロ）下げ釘用ゲージを示す部分図であり、（ハ）このようなゲージの使用により、１４０°〜４０°、５０°〜−５０°と広い範囲の釘７、７’角度に対応できることを示す図である。
【図１９】（イ）、（ロ）は上向き支持脚の部分図、（ハ）、（ニ）は下向き支持脚の部分図、（ホ）、（ヘ）は交換可能な角度測定冶具付き上向き支持脚の部分図、（ト）、（チ）は交換可能な角度測定冶具付き下向き支持脚の部分図である。
【図２０】パチンコ盤８に当接した種々の角度（５°、〔１０°、〕２０°、〔４０°、〕６０°、８０°）の角度測定冶具４を示し、その角度測定冶具に対応した支持脚３、３’（５５°、７０°、１１０°、１３０°）の角度変化を示す図である。
【図２１】基板２に支持脚３を傾斜状態で連結して測定部材４’とし、その傾斜角度で下向きの釘角度の測定が可能であることを示す状態図である。
【図２２】測定部材４’を基板２に着脱自在に取り付けた状態を示す図である。傾斜度の違う測定部材４’を用意するだけで、種々の釘角度測定に使用できる。
【図２３】スライド体６がネジ１９により一体にした挟持板１８と連結部２０との組立体から構成されることを示す図である。
【図２４】図２３と同様に、３つの支持脚３、３’、３’’及びそれに対応して６つの角度測定冶具４ａ，４ａ’，４ｂ，４ｂ’、４ｃ，４ｃ’を設けた例を示す図である。
【図２５】（イ）支持脚４ｂを一旦抜いて、反対側に入れた状態を示し、（ロ）３つの支持脚３、３’、３’’及び３つの角度測定冶具４ａ，４ａ’，４ｂを設けた状態図である。
【図２６】スライド体６中に嵌挿する基板２と角度測定冶具４、４’を夫々一体に設けた２つの支持脚３、３’とからなるゲージを示す図である。
【図２７】スライド体６中に嵌挿する基板２と角度測定冶具４ａ、４ｂ、４ａ’、４ｂ’を夫々上下に一体に設けた２つの支持脚３、３’とからなるゲージを示す図である。
【図２８】支持脚３、３’を着脱自在とした組立式スライド体を構成する部品の構成を示し、（ネジ１９、止めネジ１９’、ねじ穴２１、２１’付き基板２、２’に一体に設けた２つの支持脚３、３’、その支持脚の上方側面に一体に設けた角度測定冶具４、４’であり、スライド体６を構成するねじ１９、１９’、滑り止め孔１７、１７’を持つ挟持板１８、１８’を示す図である。
【図２９】図２８と同様に、支持脚３を着脱自在とした組立式スライド体を構成する部品の構成を示し、ネジ１９、止めネジ１９’、基板２、２’、１つの支持脚３、その支持脚３の上下側面に一体に設けた角度測定冶具４、４’であり、ねじ１９、１９’、滑り止め孔１７、１７’を持つ挟持板１８、１８’を示す図である。
【図３０】このように、支持脚の直角測定面、上向き、下向きゲージや、傾斜させた支持脚で構成される測定部材４’を用いること、支持脚及び角度測定冶具の数の増減により、スライド体に支持脚を着脱自在とすることにより、０°〜１８０°までと言う全角度にわたって釘角度の測定・調整が可能であることを示す図であり、右図は上げ釘用（＋）、下げ釘用（＝）を説明する図である。
【符号の説明】
【００４１】
１  ゲージ本体
２  基板
３、３’、３’’、３ａ、３ａ’、３ｂ、３ｂ’  支持脚
４、、４’’、４ａ、４ａ’、４ｂ、４ｂ’  角度測定冶具
４’  測定部材
５  角度測定面
６  スライド体
７  釘
８  パチンコ盤面
９、９’  当接面
１０  直角測定面
１１  役物
１２  釘
１３  役物
１５  段差
１６  嵌挿部
１７  滑り止め孔
１８  挟持板
１９、１９’  （止め）ネジ
２０  連結部
２１  ハンマー
【図１】
2006130300.tif 000003
【図２】
2006130300.tif 000004
【図３】
2006130300.tif 000005
【図４】
2006130300.tif 000006
【図５】
2006130300.tif 000007
【図６】
2006130300.tif 000008
【図７】
2006130300.tif 000009
【図８】
2006130300.tif 000010
【図９】
2006130300.tif 000011
【図１０】
2006130300.tif 000012
【図１１】
2006130300.tif 000013
【図１２】
2006130300.tif 000014
【図１３】
2006130300.tif 000015
【図１４】
2006130300.tif 000016
【図１５】
2006130300.tif 000017
【図１６】
2006130300.tif 000018
【図１７】
2006130300.tif 000019
【図１８】
2006130300.tif 000020
【図１９】
2006130300.tif 000021
【図２０】
2006130300.tif 000022
【図２１】
2006130300.tif 000023
【図２２】
2006130300.tif 000024
【図２３】
2006130300.tif 000025
【図２４】
2006130300.tif 000026
【図２５】
2006130300.tif 000027
【図２６】
2006130300.tif 000028
【図２７】
2006130300.tif 000029
【図２８】
2006130300.tif 000030
【図２９】
2006130300.tif 000031
【図３０】
2006130300.tif 000032
【手続補正書】
【提出日】平成17年8月31日(2005.8.31)
【手続補正１】
【補正対象書類名】明細書
【補正対象項目名】全文
【補正方法】変更
【補正の内容】
【発明の詳細な説明】
【技術分野】
【０００１】
本発明は、パチンコ機のような各種の遊技機の盤面上に打ち込まれた多数本の釘角度を測定し、適度の角度に調整するための遊技機釘角度測定ゲージに関する。
特に、本発明は釘の上下角度を簡単に測定可能な遊技機釘角度測定ゲージに関する。
【背景技術】
【０００２】
例えば、大衆の遊戯娯楽機として長年パチンコが親しまれ、楽しまれており、駅の周辺や商店街等の繁華街において多数のパチンコ店が営業している。パチンコは、遊戯玉を打ち、入賞すると決められた遊戯玉が遊戯者（客）に還元され、遊戯玉の数によって商品が提供され、遊戯者に利益がもたらされるものである
【０００３】
パチンコ機の盤面には多数本の釘が打ち込まれており、遊戯玉を一定の方向に案内をしたり、入賞口に遊戯玉を誘導するようになっている。通常、釘はパチンコメーカーで所定の位置に打たれた状態で出荷されるが、この時点では釘の向きは一定ではなくバラバラの状態である。
【０００４】
このため、各パチンコ店では、パチンコ機の購入後に店の方針に基づいて全ての釘の角度調整を行っている。更に、店の閉店後あるいは開店前に必要な箇所の釘の角度調整を行い、特に、入賞口に面する釘や入賞口に案内する釘の角度を調整することで各パチンコ機のその日の出球率を制御し、店の利益や客への還元率を規制している。
このような釘の調整は、非常に難しく熟練を要するために通常は釘師と呼ばれる専門家によってなされている。しかし、近年、釘師の数が少なく、パチンコ店ではその確保に苦慮しているが、熟練を要することなく釘角度を測定し、調整するための角度測定具が提供されている。
【０００５】
例えば、先行技術について見ると、以下の技術が見られる。
特許文献１「パチンコ台釘角度測定器」には、  直線辺４（本発明の当接面に相当）とそれと対称位置にある対偶辺６との間隔が大きく、測定すべき釘以外の釘や役物等が邪魔になって効率よく測定ができない分度盤式のパチンコ台釘角角度測定器が示されている。その場合に、釘も分度盤内に設けたスリット１３（凹部１２）内に挿入させなければならず、複雑な構造になっている（特に、図１参照）。
特許文献２「パチンコ機の釘角度測定装置」には、パチンコ台の盤面に接する台座７上に、円状目盛１４付き環状部材５が設けられ、該環状部材の中心に目盛１６付き十字状スリットを形成し、これに盤面の釘を差し込み、釘の角度を測定するジャイロスコープ式分度盤が示されている。その場合に台座７の巾間隔が大きく長さも長いので、パチンコ台の比較的狭い釘間隔では釘角度測定には不十分であると共に、その構造も複雑である（特に、図１、２参照）。
また、特許文献３「パチンコ機の釘角度測定冶具」には、２枚の目盛８付き扇状固定部材１とその下端部に回動自在に軸支２する細長状可動部材３とからなり、その当接面７が盤面に接した状態で可動部材３のレバー１０を操作して釘１２の角度を目盛８で間接的に測定する分度盤式のパチンコ釘角度測定ゲージが示されている。
その場合に、脚部６や当接面７の巾間隔が大きいと共に、その長さも長く、釘角度測定には不十分であると共に、その構造も複雑である（特に、図２参照）。等がある。
【０００６】
以下、自社技術でもある特許文献４〜７について触れる。
即ち、特許文献４のゲージは、基板の両端に支持脚を一体に設け、その支持脚に釘を沿わせて釘角度を測定・調整するものであって、パチンコ盤面上の釘を種々の角度に調整するためには、それに見合った角度のゲージが多数必要となるが、本発明のゲージによると、種々の角度の角度測定冶具を用意するだけで済むので、操作が容易であって実用性が高い。
即ち、本発明は、支持脚の上方側部に角度測定冶具を一体に又は着脱自在に取り付けた点、及びパチンコ盤面上の大小様々な役物、チューリップなどの障害物を簡単に避けるために、支持脚をスライド体と一体として前後に移動可能にした点に特徴を有する。
【０００７】
特許文献５には、基板端部に度数目盛付き分度盤とそのピン支点に指示アーム付き支持脚を回動自在に設け、他端に支持脚を設けたゲージが示されているが、分度盤も回動自在な指示アーム付き支持脚も必要がない本発明のゲージとは全くタイプが異なる。
特許文献６には、特許文献５に記載のゲージが示されている外に、図２（イ）に上記特許文献４に記載されるタイプにおいて、その支持脚に釘を沿わせて釘角度を測定・調整する代わりに支持脚の上方側面に角度測定冶具を取付けるタイプが記載されているが、本発明のように、パチンコ盤面上の大小様々な役物、チューリップなどの障害物を簡単に避けるために、支持脚をスライド体と一体として前後に移動可能にしたことは示されていない。そして、特許文献６の図４〜６には、支持脚に釘を沿わせて釘角度を測定・調整する方式であって、支持脚をスライド体と一体として前後に移動可能にしたものが示されているが、本発明のように、支持脚の上方側面に角度測定冶具を一体化又は取付けるタイプまでは示されていない。
特許文献７には、基板の両端又はその途中等の多方向に向けて支持脚を設けた構造のゲージが示されているが、本発明のように、支持脚をスライド体と一体として前後に移動可能にしたものは示されていない。
【０００８】
【特許文献１】特開平１０−３００４０４号公報
【特許文献２】特開平９−１８２８３２号公報
【特許文献３】特開平９−９４３２６号公報
【特許文献４】登録実用新案公報第３０４２６６３号
【特許文献５】特開２００１−２６９４５０号公報
【特許文献６】特開２００２−２２４３２０号公報
【特許文献７】特開２００２−２７２９３０号公報
【発明の開示】
【発明が解決しようとする課題】
【０００９】
以上の各特許文献１〜３では、１°を単位として釘の角度測定が可能であり、３０°ま
で釘を傾斜させることができる。
しかし、限定された広さのパチンコ機盤面に多数の釘が打たれているので、釘の間隔は狭く、また、釘の集合体や役物が配置してあり、特許文献１における「直線辺４やこれと対抗する位置にある対偶辺６」の長さ間隔が大きく、測定すべき釘以外の釘や役物等が邪魔になって効率よく測定ができないものである。
【００１０】
同様にして、特許文献２では「台座７」の長さが長く、特許文献３では「脚部６や当接面７」の巾間隔が広く、特定の釘角度測定には不向きなものであり、所定の角度を確保できないものであった。しかも、総じて構造が複雑であり、取り扱いが不便なものであった。
【００１１】
また、自社技術であるため、特許文献４〜７では、本発明のゲージの特徴の一部を示しているが、それら各要素技術を組合わせることにより、本発明の構成を示唆することは難しい。
即ち、本発明は、上記する従来の公知技術の問題点に鑑み、熟練を要することなく短時間で簡単に釘の上下角度を測定し、角度調整を可能とした遊技機釘角度の測定ゲージを提供することを目的とする。
特に、釘の集合体や役物を避けて釘角度の測定が可能な遊技機釘角度の測定ゲージを提供することを目的とする。
【課題を解決するための手段】
【００１２】
上記の目的を達成するために本発明者は種々検討した結果、遊技機釘角度測定ゲージとして、（１）長方形な板体である基板２と、その片側端部に該基板と同一平面上に突設した支持脚３と、基板２の他端に支持脚３と平行状に突出させた支持脚３’が一体化したスライド体６とから構成され、スライド体６が往復移動可能に基板２に嵌め合わされ、且つ支持脚３、３’のいずれか片面又は両面の上方側面に角度測定５を有する角度測定冶具４が一体に設けられ、しかも支持脚３、３’とは協同して同一水平を保ち、且つ支持脚３、３’の高さがパチンコ釘７の高さより高い、遊技機釘角度測定ゲージである。
（２）角度測定冶具４は、支持脚３、３’に交換可能に取付けた点にも特徴を有する。
（３）支持脚３、３’は、基板２の端部の片側又は両側のいずれかに突設される点にも特徴を有する。
【００１３】
（４）基板２に直角状に突出された支持脚３、３’が直角測定面１０を構成する点にも特徴を有する。
（５）支持脚３、３’が基板２に対して上向きに又は下向きに突出して設けられ、それに取り付けられた角度測定冶具４と相まって夫々下げ釘用又は上り釘用角度測定部材として用いられる点にも特徴を有する。
（６）角度測定冶具４付き支持脚３をスライド体６に着脱可能とした点にも特徴を有する。
（７）支持脚３が傾斜状であってそれ自体で角度測定部材４’を構成し、且つ該支持脚３に釘頭を係止するための段差１５が設けられ、しかも角度測定冶具４を設けない点にも特徴を有する。
（８）該該角度測定部材４’は基板２の上端部に嵌挿可能とした点にも特徴を有する。
（９）スライド体６は、基板２にネジ等１９で仮固定可能とした点にも特徴を有する。
（１０）スライド体６は、挟支持板１８と連結部２０を（止め）ネジ１９で止めた組立構造である点にも特徴を有する。
（１１）スライド体６に滑り止め孔１７を設けた点にも特徴を有する。
【発明の効果】
【００１４】
（１）本発明パチンコ釘角度測定ゲージによれば、ゲージ本体１は、長形な基板２の一
端に支持脚３、３’を直角状に突設して支持脚３、３’が直角測定面１０を構成するので、釘７の直角度の測定を簡単に行え、多様な角度面に対応することができる（図４）。
（２）支持脚３を有するスライド体６を基板２に嵌合させて前後にスライド可能としたので、支持脚３、３’の相対位置関係を簡単に変えることができるので、邪魔になる釘７や役物１１等を避けて支持脚３、３’を盤面８上に設置でき、効率よく釘の角度測定・調整をすることができる。
（３）本発明パチンコ釘角度測定ゲージによれば、ゲージ本体１は、この支持脚３、３’に釘７の傾斜角度を測定可能な角度測定面５を有する角度測定冶具４を設け、更に、支持脚３又は３’を有するスライド体６を往復移動可能に基板２に嵌合されているので、釘角度測定に際しては両支持脚３、３’の先端をパチンコ機の盤面８に押し当てることで安定した角度測定が可能である。
（４）傾斜測定冶具４の角度測定面５をパチンコ機盤面８に打ち込んだ釘７の側面に当接することで釘７の上下垂直方向あるいは左右水平方向の傾斜角度を容易に測定することができる。
【００１５】
（５）基板２に対して支持脚３を傾斜状態で連結し、支持脚３の上面に０．５°から１°単位で傾斜度を異にする角度測定面５を形成することで、盤面８に対する下向きの釘角度測定が可能である。。
（６）測定部材４’は、基板２に着脱自在に取付け可能であるから、種々の傾斜の測定部材４’を用意すれば、測定部材４’のみの交換により、種々の釘角度測定に使用可能である。
（７）上向き支持脚及び／又は下向き支持脚を単独に又は組合わせて用いることにより、種々の釘角度の測定に対応できる。
（８）角度測定冶具付き支持脚をスライド体に着脱自在に構成させ得るので、種々の釘角度の測定・調整に即座に対応できる。
（９）スライド体を任意の位置で仮固定できるようにしたので、、釘角度の測定・調整を確実にできる。
【００１６】
（１０）スライド体を複数個の連結板の止めネジによる組立式としたので、スライド体の構成を任意に変えることができる。
（１１）パチンコ盤面８に当接される支持脚３、３’は、構造的にゲージ本体１を支える脚部的な意味合いが強いので先端で細くなっており、必要とする面積を極端に縮小できる効果がある。また、パチンコ盤面８のように、たくさんの釘、又連続した釘の並び、役物等の複雑な狭い場所へも十分に対応可能な構造となっている。
（１２）支持脚３、３’間の高さがパチンコ釘７の高さより高いので、パチンコ盤面８上の釘７や役物１１に邪魔されず、簡単に釘の角度測定が可能である。
（１３）本発明のパチンコ釘角度測定ゲージによると、簡単な構造でありながら、釘の深い角度まで測定可能で、構造的に見ても精度の高い測定結果を未経験者にも、簡単に提供できる。
（１４）本発明のパチンコ釘角度測定ゲージによると、スライド体付き支持脚がスライド可能であるので、釘７の間隔に応じてスライドさせて支持脚３、３’の間隔を仮固定すると釘７を希望する角度に調整できる。
【００１７】
（１５）本発明のパチンコ釘角度測定ゲージによると、測定値を一地点として計測するのではなく、支持脚３、３’間を間隔を開けて二点間で計測するので、例えばパチンコ盤面８に歪みがあった場合などでも、より平均的な誤差の少ない計測が可能である。
（１６）本発明のパチンコ釘角度測定ゲージによると、パチンコ盤面８及び釘７に当接するだけで簡単に釘角度が測定できる。
（１７）単体で片手で持ちやすく、測定操作がし易いので、角度測定を効率よく行うことが可能である。更に、熟練を要することなく釘角度の調整を行うことができ、入賞率や
出玉率を制御することができる。
【発明を実施するための最良の形態】
【００１８】
以下、図面に従って本発明の実施の形態を詳細に説明する。
図１は、本発明の遊技機釘角度測定ゲージの代表例を示すものである。
図２は、図１に示した支持脚３の下方に設けた斜めの存在理由を説明する図であり、支持脚３の下方に設けた斜めの存在によって役物１１等の邪魔物を回避し狭い所の釘７の計測を可能とする。
図１において、金属製あるいは合成樹脂製のゲージ本体１は、長方形な板体である基板２と、その片側端部に該基板と同一平面上に突設した支持脚３と、基板２の他端に支持脚３と平行状に突出させた支持脚３’が一体化したスライド体６とから構成され、スライド体６が往復移動可能に基板２に嵌め合わされ、且つ支持脚３、３’のいずれか片面又は両面の上方側面に角度測定面５を有する角度測定冶具４が一体に設けられ、しかも支持脚３、３’とは協同して同一水平を保ち、且つ支持脚３、３’の高さがパチンコ釘７の高さより高い構成となっている。  
【００１９】
図３、５、６は、本発明のゲージ体１において、角度測定冶具４の角度を夫々４°、５°、６°と変えた場合での調整された釘角度が夫々９４°、９５°、９６°であることを示す状態図である。
図４は、基板２に対して直角状に突出させた支持脚３が直角測定面１０を構成して、釘７の直角状態を測定する状態を示す図である。
図７は、図４に対応して、直角測定面１０に合わせて釘７の頭を叩いて直角とする状態を示す図である。
図８は、図４に対応して直角測定面１０と釘７の平行度合で合わせる状態を示す図である。
図９〜１１は、交換可能に付ける角度測定冶具４が支持脚の内、支持脚３、３’の夫々上、下片面に（図９）、支持脚３の上下面に（図１０）、角度測定冶具４が支持脚３の上下面に交換可能に、支持脚３’上下面に一体に（図１１）取り付けた状態を示す図である。
【００２０】
図１２、１３は、支持脚が基板２に直角に設けていない例であり、支持脚３、３’が基板２に対して上向きに又は下向きに突出して設けられ、それに取り付けられた角度測定冶具４と共に夫々下げ釘用又は上り釘用ゲージとして用いられる状態を示す図である。
詳しくは、図１２は基板２に対して、交換可能な角度測定冶具４ａ、４ａ’付き上向き支持脚３ａ、３ａ’と、交換可能な角度測定冶具４ｂ、４ｂ’付き下向き支持脚３ｂ、３ｂ’が突出して設けられた状態図である。上方及び下方の角度測定冶具を種々の状況に適応して使用すれば良い。
図１３は、交換可能な角度測定冶具４ａ、４ａ’付き下向き支持脚３ａ、３ａ’と、交換可能な角度測定冶具４ｂ、４ｂ’付き上向き支持脚３ｂ、３ｂ’が突出して設けられた状態図である。上方及び下方の角度測定冶具を種々の状況に適応して使用すれば良い。
【００２１】
図１４は、図１２の応用であり、交換可能な角度測定冶具４ａ、４ａ’付き下向き支持脚３ａ、３ａ’と、一体な角度測定冶具４ｂ、４ｂ’付き上向き支持脚３ｂ、３ｂ’が突出して設けられた状態図であり、図１２の場合と同様に使用すれば良い。
図１５は、図１３の応用であり、交換可能な角度測定冶具４ａ、４ａ’付き下向き支持脚３ａ、３ａ’と、一体な角度測定冶具４ｂ、４ｂ’付き上向き支持脚３ｂ、３ｂ’が突出して設けられた状態図であり、図１３の場合と同様に使用すれば良い。。
【００２２】
図１６は、（イ）図１２の交換可能な角度測定冶具４付き上向き支持脚３、３’の部分図であり、角度測定冶具の大きさを変えて角度調節が可能である。（ロ）図１２の交換可能な角度測定冶具４付き下向き支持脚３、３’の部分図であり、上下逆向きにすると上り
釘用になる。
図１７は、（イ）図１３の交換可能な角度測定冶具４付き下向き支持脚３、３’の部分図であり、角度測定冶具の大きさを変えて角度調節が可能である。（ロ）図１３の交換可能な角度測定冶具４付き上向き支持脚３、３’の部分図であり、上下逆向きにすると下り釘用になる。
【００２３】
図１８は、（イ）上げ釘用ゲージを示す部分図であり、（ロ）下げ釘用ゲージを示す部分図であり、（ハ）このようなゲージの使用により、１４０°〜４０°（５０°〜−５０°）と広い範囲の釘角度に対応できることを示す図である。
図１９は、角度測定冶具を一定（例えば５°）にして支持脚にて角度を変化させる使用法を説明する図であり、（イ）、（ロ）は上向き支持脚の部分図、（ハ）、（ニ）は下向き支持脚の部分図、（ホ）、（ヘ）は角度測定冶具付き上向き支持脚の部分図、（ト）、（チ）は角度測定冶具付き下向き支持脚の部分図である。
図２０は、支持脚角度を一定（例えば５０°）にして角度測定冶具の角度変化をさせる使用法を説明する図である。
パチンコ盤８に当接した種々の角度（５°、１０°、２０°、４０°、６０°、８０°）の角度測定冶具４を示し、その角度測定冶具に対応した支持脚３、３’（５５°、７０°、１１０°、１３０°）の角度変化を示す。
【００２４】
図２１は、基板２に支持脚３を傾斜状態で連結して測定部材４’とし、その傾斜角度で下向きの釘角度の測定が可能であることを示す状態図である。
図２２は、測定部材４’を基板２に着脱自在に取り付けた状態を示す図である。傾斜度の違う測定部材４’を用意するだけで、種々の釘角度測定に使用できる。
【００２５】
図２３は、スライド体６が（ネジ１９により一体にした）挟持板１８と連結部２０との組立体から構成されることを示す図である。
図２３において、（イ）スライド体６中央に滑り止め孔１７を設けて親指等で一定位置に停止させ易くする。（ロ）角度測定冶具４’’をスライド体６に着脱自在としていて、引き抜いて他端に移動できる。（ハ）基板２の両端に支持脚３、３’を突出して設け、その上方側面に角度測定冶具４、４’を、基板２に嵌合するスライド体６に着脱自在に支持脚３’’を設け、その支持脚３’’の下面に角度測定冶具４’’を一体に設ける。
図２４は、図２３と同様に、３つの支持脚３、３’、３’’及びそれに対応して６つの角度測定冶具４ａ，４ａ’，４ｂ，４ｂ’、４ｃ，４ｃ’を設けた例である。
図２５は、（イ）支持脚４ｂを一旦抜いて、反対側に入れた状態を示し、（ロ）３つの支持脚３、３’、３’’及び３つの角度測定冶具４ａ，４ａ’，４ｂを設けた例である。
【００２６】
図２６は、（スライド体６中に嵌挿する）基板２と角度測定冶具４、４’を夫々一体に設けた２つの支持脚３、３’とからなるゲージを示す。
なお、この測定部材は支持脚付きスライド体抜きでもパチンコ釘角度測定ゲージとしても利用できる。
図２７は、（スライド体６中に嵌挿する）基板２と角度測定冶具４ａ、４ｂ、４ａ’、４ｂ’を夫々上下に一体に設けた２つの支持脚３、３’とからなるゲージを示す。
なお、この測定部材は支持脚付きスライド体抜きでもパチンコ釘角度測定ゲージとしても利用できる。
【００２７】
図２８は、（支持脚３、３’を着脱自在とした）組立式スライド体を構成する部品の構成を示し、即ち、ネジ１９、止めネジ１９’ねじ穴２１、２１’付き基板２、２’に一体に設けた２つの支持脚３、３’、その支持脚の上方側面に一体に設けた角度測定冶具４、４’であり、スライド体６を構成するねじ１９、１９’、滑り止め孔１７、１７’を持つ
挟持板１８、１８’を示す。
図２９は、図２８と同様に、（支持脚３を着脱自在とした）組立式スライド体を構成する部品の構成を示し、即ち、はネジ１９、止めネジ１９’、基板２、２’、１つの支持脚３、その支持脚３の上下側面に一体に設けた角度測定冶具４、４’、ねじ１９、１９’、滑り止め孔１７、１７’を持つ挟持板１８、１８’を示す。
【００２８】
図３０は、このように、支持脚の直角測定面、上向き、下向きゲージや、傾斜させた支持脚で構成される測定部材４’を用いること、支持脚及び角度測定冶具の数の増減により、スライド体に支持脚を着脱自在とすることにより、（イ）０°〜１８０°までと言う全角度にわたって釘角度の測定・調整が可能であることを示す図であり、右側の図は上げ釘用（＋）、下げ釘用（−）を説明する図である。
図３１は、図１２の上下反転図である。
図３２は、図１３の上下反転図である。
【００２９】
更に、図面に基づいて詳細に説明する。
角度測定冶具４は、パチンコ盤面８に打ち込んである釘７の下面或いは左右側面に角度測定面５を押し当ててパチンコ盤面８に対する釘角度を測定する。例えば４０°〜１４０°の範囲で設定可能である。
角度測定冶具４は、支持脚３、３’に一体に固定してもよく、或いはゲージ本体１を金属製とした場合には角度測定冶具４を磁性体製として交換可能としてもよい。
角度測定冶具４を交換可能とした場合には、前記の場合と同じく傾斜角が０°〜９０°あるいは９０．５°〜１８０°の傾斜範囲で０．５°〜１°単位で角度測定面５を異にするものをそれぞれ用意しておけばよい。
【００３０】
次に、パチンコ機盤面８に打ち込んである釘７の角度測定について説明する。釘角度測定に際しては、図３〜８により具体的に説明される。
支持脚３と一体のスライド体６は基板２に着脱できるので、角度測定面５が０．５°単位や１°単位で異なる傾斜角度の角度測定部材４’を多数用意し該測定部材のみを交換すれば、支持脚３は同じものを使用できる。
図９〜２０に説明されるように、角度測定冶具４を支持脚３に交換可能及び／又は一体とした場合には、支持脚が上向き及び／又は下向きの場合と組合わされ、かつ種々の角度の角度測定冶具４を用意し、支持脚３、３’と部分的に一体とした角度測定冶具４の場合と組合わせて釘角度の測定すれば全釘角度の測定が可能となる。
【００３１】
上記の説明は少なくとも９０．５°以上の上向きの角度測定を行う場合である。
しかし、釘７によっては盤面８に対して直角状態を保持する必要がある。
図４は、釘７の盤面８に対する直角（９０°）の角度測定を行う場合であり、釘７の上面と支持脚３の直角測定面１０とを平行にすることで釘７が盤面１１に対して直角であるかどうか測定可能であって（図７）、直ちにハンマー２１により釘７を直角に調整できる（図７、８）。
もし、釘７が少しでも上下に傾斜している場合には角度調整を行い、９０°を保持するようにすればよい。
【００３２】
上記の説明では、支持脚３が接地する盤面８に釘７の集合体や役物１１がない場合である。
しかし、支持脚３の当接面９に対する接地位置に複数本の釘７集合体や役物１１等があってゲージ本体１を所定の位置にセットできず特定位置の釘角度の測定ができない場合がある。
図１で分かるように、スライド体６は基板２に沿って往復移動可能となっているので、図５に示すように、支持脚３が、例えば、役物１１に突き当たらない離れた位置までスラ
イド体６を基板２にそって移動させればよく、特定の釘７の角度測定を支障なく行うことができる。
【００３３】
図１２〜１５に示すように、スライド体６の側面に（止め）ネジ１９’を捻じ込み可能とし、止めネジ１９’の先端を基板２の側面に圧接させるようにしておけば、スライド体６を基板２にそって移動させた時、ネジ１９’によってスライド体６の停止位置を仮固定して保持することができる。
図３は、釘７の上向き方向の角度測定を行う場合であり、図６に示すように、パチンコ盤面８に対してゲージ本体１を水平状態でセットすることで釘７の左右方向の角度測定が可能である。
スライド体６を基板２にそって移動させる場合でも、図７、８に示すように、直角測定面１０で釘７の直角度の測定は可能である。
【００３４】
上記に説明したゲージ本体１は、基本的にはパチンコ盤面８に対する釘７の上向き方向の角度を測定する場合である。従って、パチンコ盤面８に対して下向き方向の釘７角度を測定することはできない。
図１２〜２０に示すように、上り釘用又は下り釘用のゲージを用いることにより可能となる。
即ち、例えば、図１２によると、ゲージ本体１は、パチンコ盤面８に対する釘７の下向きの傾斜角度を測定できる。即ち、基板２の一端に支持脚３を連結し、支持脚３’を有するスライド体６を基板２に往復移動可能に嵌合させる。
【００３５】
図２１に示すように、支持脚３を基板２に上向き傾斜状に、即ち、支持脚３に対し拡開する上向き方向に連結し、支持脚３の上面に少なくとも釘７の長さ範囲内で段差１５を形成し、段差１５と支持脚３の先端間を角度測定面５とする。
尚、この場合、スライド体に一体に設けた支持脚３’は基板２に対して直角状となっている。
図２１において、角度測定面５は、パチンコ盤面８の垂直面に対し８９．５°から０．５°単位、あるいは８９°から１°単位で傾斜角度を異にする測定部材４’を必要な傾斜角度の範囲で複数用意しておく。
角度測定面５を、パチンコ盤面８に打ち込んで下向きに傾斜する釘７の下面に当てればよく、両者が平行であれば釘７は角度測定面５の傾斜度を有することになる。
このようにして角度測定面５の傾斜度によって釘７の下向きの傾斜角度を測定することができる。
【００３６】
釘７の下面に傾斜測定面５を押し当てて平行になった時、釘７の傾斜角度は、傾斜測定面５の傾斜角度を有することになる。この場合の傾斜角度が、例えば、８８°であり、この釘１２の傾斜角度を８７°としたい場合には、釘７角度を調整し、８７°の傾斜面とした傾斜測定面５を有する測定部材４’を使用して最終的な傾斜度を調整すればよい。
尚、支持脚３の上面に段差１５を設けて角度測定面５を形成することなく、支持脚３の上面全面を平らな角度測定面５とし、角度測定面５を釘７の下面に当て、両者が平行となった時の傾斜角度を測定するようにしてもよい。
また、図２１に示すように、支持脚３の先端は、傾斜度に応じてパチンコ盤面８に密に接するよう支持脚３の長さ方向に対して斜めにしてもよい。
【００３７】
図２１に示す測定部材４’は、基板２と支持脚３とが一体にされ固定状態である。
しかし、基板２と支持脚３’とを着脱できるようにして支持脚３’のみを交換可能としてもよい。
例えば、図２３〜２５に示すように、予め支持脚３’’に嵌挿部を形成し（図示しない
）、この嵌挿部には下向きの開口部を設け、開口部は基板２の上端を密に嵌め込み可能な大きさとしておく。
このような構成とすることで、嵌挿部内に基板２の上端を密に嵌め込めば、図２３〜２５に示すように、支持脚３’’はパチンコ盤面８の垂直面に対する角度測定面５の傾斜角度を０．５°単位あるいは１°単位で異にするものを８９．５°〜３００°の範囲で複数種用意しておき、支持脚３’’のみを交換可能とすることで能率よく釘７の傾斜角度の測定や調整ができる。
尚、この場合でも支持脚３’’の先端部に段差１５を設けて角度測定面５を形成してもよい。
【００３８】
図２３〜２５に示すように、釘７の集合体や役物１１を避けてスライド体６を基板２にそって移動させ、ネジ１９’で仮固定してもよい。
また、基板２と支持脚３’’とを着脱自在とした場合もネジ１９’を使用して仮固定し、連結状態を安定させてもよい。
【産業上の利用可能性】
【００３９】
本発明によれば熟練を要することなくパチンコ機に打ち込んだ釘の上下および左右の角度測定および調整が可能であり、パチンコ業界において店の収益とともに客の満足感を共に達成することができ、更に、パチンコの遊戯性を高めることができるものである。
【図面の簡単な説明】
【００４０】
【図１】本発明のパチンコ釘角度測定ゲージの代表例を示す斜視図である。
【図２】図１に示した支持脚３の下方に設けた斜めの存在理由を説明する図である。
【図３】本発明のゲージ体１により、角度測定冶具４の角度を夫々４°と変えた場合の調整された釘角度が９４°であることを示す状態図である。
【図４】基板２に対して直角状に突出させた支持脚３が直角測定面１０を構成して、釘７の直角状態を測定する状態を示す図である。
【図５】本発明のゲージ体１により、角度測定冶具４の角度を５°と変えた場合の調整された釘角度が９５°であることを示す状態図である。
【図６】本発明のゲージ体１により、角度測定冶具４の角度を６°と変えた場合の調整された釘角度が９６°であることを示す状態図である。
【図７】図４に対応して、直角測定面１０に合わせて釘７の頭を叩いて直角とする状態を示す図である。
【図８】図４に対応して直角測定面１０と釘７の平行度合で合わせる状態を示す図である。
【図９】交換可能に付ける角度測定冶具４が支持脚の内、支持脚３、３’の夫々上、下片面に（図９）取り付けた状態を示す図である。
【図１０】交換可能に付ける角度測定冶具４が支持脚の内、支持脚３の上下面に取り付けた状態を示す図である。
【図１１】交換可能に付ける角度測定冶具４が支持脚の内、支持脚３’上下面に一体に取り付けた状態を示す図である。
【図１２】支持脚が基板２に直角に設けていない例であって、支持脚３、３’が基板２に対して上向きに、（下向きに）突出して又は下向きに着脱自在に設けられ、角度測定冶具４と共に下げ釘用釘用ゲージとして用いられる状態図である。
【図１３】支持脚が基板２に直角に設けていない例であり、支持脚３、３’が基板２に対して下向きに、（上向きに）突出して設けられ、それに取り付けられた角度測定冶具４と共に上り釘用ゲージとして用いられる状態図である。
【図１４】図１２の応用であり、交換可能な角度測定冶具４ａ、４ａ’付き上向き支持脚３ａ、３ａ’と、一体な角度測定冶具３ｂ、３ｂ’付き下向き支持脚４ｂ、４ｂ’が突出して設けられた状態図である。
【図１５】図１３の応用であり、交換可能な角度測定冶具４ａ、４ａ’付き下向き支持脚３ａ、３ａ’と、一体な角度測定冶具４ｂ、４ｂ’付き上向き支持脚３ｂ、３ｂ’が突出して設けられた状態図である。
【図１６】（イ）図１２の交換可能な角度測定冶具４付き上向き支持脚３、３’に釘７を沿わせた部分図であり、（ロ）図１２の交換可能な角度測定冶具４付き下向き支持脚３、３’に釘７を沿わせた部分図である。
【図１７】（イ）図１３の交換可能な角度測定冶具４付き下向き支持脚３、３’に釘７を沿わせた部分図であり、（ロ）図１３の交換可能な角度測定冶具４付き上向き支持脚３、３’に釘７を沿わせた部分図である。
【図１８】（イ）上げ釘用ゲージを示す部分図であり、（ロ）下げ釘用ゲージを示す部分図であり、（ハ）このようなゲージの使用により、１４０°〜４０°、５０°〜−５０°と広い範囲の釘７、７’角度に対応できることを示す図である。
【図１９】（イ）、（ロ）は上向き支持脚の部分図、（ハ）、（ニ）は下向き支持脚の部分図、（ホ）、（ヘ）は交換可能な角度測定冶具付き上向き支持脚の部分図、（ト）、（チ）は交換可能な角度測定冶具付き下向き支持脚の部分図である。
【図２０】パチンコ盤８に当接した種々の角度（５°、１０°、２０°、４０°、６０°、８０°）の角度測定冶具４を示し、その角度測定冶具に対応した支持脚３、３’（５５°、７０°、１１０°、１３０°）の角度変化を示す図である。
【図２１】基板２に支持脚３を傾斜状態で連結して測定部材４’とし、その傾斜角度で下向きの釘角度の測定が可能であることを示す状態図である。
【図２２】測定部材４’を基板２に着脱自在に取り付けた状態を示す図である。傾斜度の違う測定部材４’を用意するだけで、種々の釘角度測定に使用できる。
【図２３】スライド体６がネジ１９により一体にした挟持板１８と連結部２０との組立体から構成されることを示す図である。
【図２４】図２３と同様に、３つの支持脚３、３’、３’’及びそれに対応して６つの角度測定冶具４ａ，４ａ’，４ｂ，４ｂ’、４ｃ，４ｃ’を設けた例を示す図である。
【図２５】（イ）支持脚４ｂを一旦抜いて、反対側に入れた状態を示し、（ロ）３つの支持脚３、３’、３’’及び３つの角度測定冶具４ａ，４ａ’，４ｂを設けた状態図である。
【図２６】スライド体６中に嵌挿する基板２と角度測定冶具４、４’を夫々一体に設けた２つの支持脚３、３’とからなるゲージを示す図である。
【図２７】スライド体６中に嵌挿する基板２と角度測定冶具４ａ、４ｂ、４ａ’、４ｂ’を夫々上下に一体に設けた２つの支持脚３、３’とからなるゲージを示す図である。
【図２８】支持脚３、３’を着脱自在とした組立式スライド体を構成する部品の構成を示し、（ネジ１９、止めネジ１９’、ねじ穴２１、２１’付き基板２、２’に一体に設けた２つの支持脚３、３’、その支持脚の上方側面に一体に設けた角度測定冶具４、４’であり、スライド体６を構成するねじ１９、１９’、滑り止め孔１７、１７’を持つ挟持板１８、１８’を示す図である。
【図２９】図２８と同様に、支持脚３を着脱自在とした組立式スライド体を構成する部品の構成を示し、ネジ１９、止めネジ１９’、基板２、２’、１つの支持脚３、その支持脚３の上下側面に一体に設けた角度測定冶具４、４’であり、ねじ１９、１９’、滑り止め孔１７、１７’を持つ挟持板１８、１８’を示す図である。
【図３０】このように、支持脚の直角測定面、上向き、下向きゲージや、傾斜させた支持脚で構成される測定部材４’を用いること、支持脚及び角度測定冶具の数の増減により、スライド体に支持脚を着脱自在とすることにより、０°〜１８０°までと言う全角度にわたって釘角度の測定・調整が可能であることを示す図であり、右図は上げ釘用（＋）、下げ釘用（−）を説明する図である。
【図３１】図１２の上下反転図である。
【図３２】図１３の上下反転図である。
【符号の説明】
【００４１】
１  ゲージ本体
２  基板
３、３’、３’’、３ａ、３ａ’、３ｂ、３ｂ’  支持脚
４、、４’’、４ａ、４ａ’、４ｂ、４ｂ’  角度測定冶具
４’  測定部材
５  角度測定面
６  スライド体
７  釘
８  パチンコ盤面
９、９’  当接面
１０  直角測定面
１１  役物
１２  釘
１３  役物
１５  段差
１６  嵌挿部
１７  滑り止め孔
１８  挟持板
１９、１９’  （止め）ネジ
２０  連結部
２１  ハンマー
【手続補正２】
【補正対象書類名】図面
【補正対象項目名】図３１
【補正方法】追加
【補正の内容】
【図３１】
2006130300.tif 000033
【手続補正３】
【補正対象書類名】図面
【補正対象項目名】図３２
【補正方法】追加
【補正の内容】
【図３２】
2006130300.tif 000034